(57)【要約】【課題】手袋の装着状態を良好に保つようにして、一連の作業の便に供し、作業能率の向上に寄与せんとすることを目的とする。【解決手段】手への装着状態を保持すべく手首部１に、延伸した場合に手首の径方向に縮経する絞り部２を設けた。【選択図】      図１
2005009035.tif 000002
【特許請求の範囲】
【請求項１】
手への装着状態を保持すべく、手首部に、延伸した場合に手首の径方向に縮経する絞り部を設けたことを特徴とする手袋。
【請求項２】
前記絞り部を二以上設けたことを特徴とする請求項１記載の手袋。
【請求項３】
装着時に指の関節位置と対応する指部の所定部位に指絞り部を設けることを特徴とする請求項１又は２記載の手袋。
【請求項４】
前記指絞り部を二以上設けたことを特徴とする請求項３記載の手袋。
【請求項５】
前記手首部に末広がり状のスカート部を延設することを特徴とする請求項１乃至４の何れかに記載の手袋。
【発明の詳細な説明】
【０００１】
【発明の属する技術分野】
本発明は、例えば食品の加工時、髪の染色時、その他各種の作業時に於いて幅広く使用される手袋に関する。
【０００２】
【従来の技術】
従来、この種の手袋としては、図４に示すように、指のつけ根部分若しくは指関節よりも下部の部分に相当する指部７の所定部位に縮径した絞り部８を設けたものがあり（例えば、特許文献１参照。）、この絞り部８により指との緊着状態を保持して、作業時に於ける手袋の離脱を防止するようにしたものである。
【０００３】
【特許文献１】
実開１９９２−７６１６号公報（第１−３頁、第１図及び第２図）
【０００４】
【発明が解決しようとする課題】
しかしながら、上記従来の手袋にあっては、作業時に動作主体となる指部７に絞り部８を設けてなるため、作業時に於いて絞り部８による良好な保持状態を保持し難いという難点があり、指部７が不用意に指から離脱するように移動して、その都度装着し直す必要が生じることとなり、一連の作業に支障を与え、必ずしも手袋の離脱防止手段としては適当なものではなかった。
【０００５】
また、手袋の手首部９は広幅に形成されて手首部分に於ける緊着性については何ら考慮が払われていないために、作業内容によっては水や異物等が、手首と手首部９との間隙を伝って、手袋内部に進入する虞もあった。
【０００６】
さらに、絞り部８を指のつけ根部分若しくは指関節よりも下部の部分に相当する指部７の所定部位に設けているため、該指部７と手の指先部分との一体性を保つことができず、指先を使用するような細かな作業を行う際に支障を与えるという不都合もあったのである。
【０００７】
本発明は、かかる事情に鑑みてなされたものであり、手袋の装着状態を良好に保つようにして、一連の作業の便に供し、作業能率の向上に寄与せんとすることを課題としている。
【０００８】
【課題を解決するための手段】
請求項１に記載の手袋は、手への装着状態を保持すべく、手首部に、延伸した場合に手首の径方向に縮経する絞りを設けたことを特徴とする。
【０００９】
請求項１に記載の手袋にあっては、手袋を手に挿入した後、手袋の手首部を手前に引っ張るようにして手に装着すると、引っ張り時には引張力を受けて絞り部が延伸し、引張力を解除すると、延伸した絞り部は手首の径方向に縮径するので、絞り部が手首を締め付けるように緊着し、手への装着状態が良好に保持されることになる。
【００１０】
請求項２に記載の手袋は、請求項１に記載の手袋において、前記絞り部を二以上設けたことを特徴とする。
【００１１】
請求項２に記載の手袋にあっては、前記絞り部を二以上設けているので、手への装着状態がさらに確実に保持される。
【００１２】
請求項３に記載の手袋は、請求項１又は２記載の手袋において、装着時に指の関節が位置する指部の所定対応部位に指絞り部を設けたことを特徴とする。
【００１３】
請求項３に記載の手袋にあっては、装着時に指絞り部が引張力を受けて延伸し、装着後に引張力を解除すると、指絞り部が、指の径方向に縮径して各指関節を締め付けるように緊着し、この状態が保持されると共に、指部と手の指先部分との一体性も高まることになる。
【００１４】
請求項４に記載の手袋は、請求項３記載の手袋において、前記指絞り部を二以上設けたことを特徴とする。
【００１５】
請求項４に記載の手袋にあっては、前記指絞り部を二以上設けているので、指への装着状態がさらに良好となり、細かい作業に好適となる。
【００１６】
請求項５に記載の手袋は、請求項１乃至４の何れかに記載の手袋において、前記手首部に末広がり状のスカート部を延設することを特徴とする。
【００１７】
請求項５に記載の手袋にあっては、前記手首部が末広がり状に形成されるので、装着時に手を挿入し易くなる。
【００１８】
【発明の実施の形態】
以下、本発明の手袋の実施の形態を図面に基づいて具体的に説明する。図１は本発明の手袋の正面図であり、図２（イ）〜（ハ）は、手袋の装着状態を示す正面図である。
【００１９】
図１において、１は手に手袋を装着した際にその手首部分に配される手首部を示し、この手首部１には縮径した環状の絞り部２が所定間隔を有して２つ設けられている。３は手首部１に延設した末広がり状のスカート部で、該スカート部３には手が挿入される開口部４が開設されてなる。
【００２０】
５は手袋を手に装着した際にその指部分が挿入される指部で、装着時に指部分の第１関節部と第２関節部が位置する部位には夫々環状の指絞り部６が設けられており、かかる指絞り部６は所定間隔を有して２つ形成されている。
【００２１】
そして、前記の手袋は、例えば、ポリエチレン等の合成樹脂に可塑剤（例えばエポキシ系の可塑剤）を添加して薄肉状に形成したフィルム材等の、延伸性を有する素材で形成されている。
【００２２】
以上のような構成からなる手袋を装着する場合について、図２を用いて説明する。図２（イ）は手を手袋へ挿入した状態の正面図、（ロ）は手袋を手前側に引っ張った状態の正面図、（ハ）は（ロ）の手首部分の拡大正面図である。
【００２３】
まず、図２（イ）に示すように、手を手袋の開口部４から挿入するのであるが、該開口部４は末広がり状のスカート部３となっているので、即ち開口部４側程幅広に形成しているので、手の手袋への挿入が簡単に行える。
【００２４】
次に、図２（ロ）に示すように、手袋のスカート部３付近を他方の手で手前側（図２（ロ）の矢印Ａ方向）に引っ張ると、該スカート部３を介して手首部１に引張力が加わることとなって、かかる手首部１に設けた絞り部２及び指絞り部６が延伸する（図２（ハ）の矢印Ｂ方向）。
【００２５】
そして、他方の手をスカート部３から離して引張力を解除すると、図２（ハ）に示すように絞り部２が手首の径方向（矢印Ｃ方向）に縮径して該絞り部２が手首部分の全周を締め付けるように緊着固定されると共に、指絞り部６についても同様に手の各関節部の全周を締め付けるようにして緊着固定されることになる。
【００２６】
前述の場合において、前記絞り部２は、他の部分よりも延伸し易くなっているので、延伸の率も他の部分に比べて多く、従って、前述のように、引張力が解除された場合、縮径する率も他の部分に比して大きく、よって、前記絞り部２が手首部分に緊着することとなる。
【００２７】
このように、前記絞り部２は手首部分に緊着固定されるために、作業中に於いても手袋の良好な装着状態が保持されて、手袋の不用意な移動や離脱を確実に防止することができる。
【００２８】
また、同様に指絞り部６と指の関節部との緊着状態も保持できることになり、この指絞り部６と指先部分に近い関節部との緊着によって、指部５と手の指部分との一体性が略指先部分にまで保持し得る結果、細かな作業も容易に行えるのである。
【００２９】
さらに、手首部分と絞り部２の緊着固定により、開口部４からの水や異物等の内部への進入も好適に阻止できるため、これら水等の進入によって一連の作業に支障を与えるようなこともない。
【００３０】
尚、上記実施形態に於いては、絞り部２を環状に形成したために、手首部分の全周にわたって絞り部２を緊着固定し得るという利点が得られたが、本発明は決してこれに限定されるものではなく、例えば図３に示すように相対向する部位にのみ絞り部２を設けてもよい他、周方向に所定間隔を有して数ケ所設けて構成することも可能である。
【００３１】
また、指絞り部６も同様に指部５の一部にのみ設けてもよく、前記絞り部２と同様、必ずしも前記した実施形態の如く環状に構成する必要はない。
【００３２】
さらに、これら絞り部２及び指絞り部６の数は前述の実施の形態に限定されず、単数或いは３以上設けても構わない。
【００３３】
また、スカート部３や指絞り部６も必要に応じて設ければよく、省略してもよい。
【００３４】
さらに、手袋の材質も上記実施形態の如きポリエチレン等の合成樹脂製に限られるものではなく、例えばゴム等の延伸性を有する素材で構成しても構わない。
【００３５】
【発明の効果】
請求項１に記載の手袋は、手への装着状態を保持すべく手首部に、延伸した場合に手首の径方向に縮経する絞りを設けたので、手袋を手に挿入した後、手袋の手首部を手前に引っ張るようにして手に装着すると、引っ張り時には引張力を受けて絞り部が延伸し、引張力を解除すると、延伸した絞り部は手首の径方向に縮径するので、絞り部が手首を締め付けるように緊着し、手への装着状態が良好に保持されて、手袋の不用意な移動や離脱を確実に防止することができるとともに、かかる手首部分と絞り部との緊着固定により、手袋内への水や異物等の進入も好適に阻止できる。
【００３６】
請求項２に記載の手袋は、請求項１に記載の手袋において、前記絞り部を二以上設けたので、該絞り部による手首部分との緊着固定状態が一層強固なものになって、手袋の離脱防止がより確実に行える
【００３７】
請求項３に記載の手袋は、請求項１又は２記載の手袋において、装着時に指の関節が位置する指部の所定部位に指絞り部を設けたので、装着時に指絞り部が引張力を受けて拡径し、この状態で各指を指部に挿入することができ、装着後に引張力を解除すると、指絞り部が縮径して各指関節を締め付けるように緊着し、この状態が保持されると共に、指部と手の指先部分との一体性も高まることになる。
【００３８】
請求項４に記載の手袋は、請求項３記載の手袋において、前記指絞り部を二以上設けたので、前記指絞り部を二以上設けているので、該指絞り部による指の関節部分との緊着固定状態が一層確実なものになり、細かい作業に好適となる。
【００３９】
請求項５に記載の手袋は、請求項１乃至４の何れかに記載の手袋において、前記手首部に末広がり状のスカート部を延設して、前記手首部が末広がり状に形成しているので、手への手袋の装着作業が容易に行える。
【図面の簡単な説明】
【図１】本発明の実施形態に係る手袋の正面図。
【図２】本発明の実施形態に係る手袋の装着状態を示す正面図。
【図３】本発明の他の実施形態に係る手袋の正面図。
【図４】特許文献１に係る手袋を示す正面図。
【符号の説明】
１…手首部、２…絞り部、３…スカート部、５…指部、６…指絞り部
【図１】
2005009035.tif 000003
【図２】
2005009035.tif 000004
【図３】
2005009035.tif 000005
【図４】
2005009035.tif 000006